(57)【特許請求の範囲】
【請求項１】
相変化型光情報記録媒体に対して照射する光を発光する記録素子と、前記相変化型光情報記録媒体を回転駆動する回転駆動手段と、前記回転駆動手段により前記相変化型光情報記録媒体を回転駆動させ前記記録素子が出力する記録ストラテジのマルチパルス部の熱量デューティーと記録パワーとを変動させて前記相変化型光情報記録媒体に対して試し記録を行う試し記録手段と、前記相変化型光情報記録媒体の前記試し記録手段によって試し記録された領域の再生信号のうちのＲＦ信号に基づいてβ値を取得するβ値取得手段と、前記β値取得手段が取得した前記β値に基づいて各前記熱量デューティー毎に前記β値の極大値を取得するβ極大値取得手段と、前記β極大値取得手段が取得した前記極大値のうち最も大きい前記極大値をとる前記熱量デューティーを取得する熱量デューティー取得手段と、を具備し、前記熱量デューティー取得手段が取得した前記熱量デューティーを本記録に際しての記録ストラテジのマルチパルス部の熱量デューティーとする記録装置。
【請求項２】
相変化型光情報記録媒体に対して照射する光を発光する記録素子と、前記相変化型光情報記録媒体を回転駆動する回転駆動手段と、前記回転駆動手段により前記相変化型光情報記録媒体を回転駆動させ前記記録素子が出力する記録ストラテジのマルチパルス部の熱量デューティーと記録パワーとを変動させて前記相変化型光情報記録媒体に対して試し記録を行う試し記録手段と、前記相変化型光情報記録媒体の前記試し記録手段によって試し記録された領域の再生信号のうちのＲＦ信号に基づいてアシンメトリー(Asymmetry)を取得するアシンメトリー取得手段と、前記アシンメトリー取得手段が取得した前記アシンメトリーに基づいて各前記熱量デューティー毎に前記アシンメトリーの極小値を取得するアシンメトリー極小値取得手段と、前記アシンメトリー極小値取得手段が取得した前記極小値のうち最も小さい前記極小値をとる前記熱量デューティーを取得する熱量デューティー取得手段と、を具備し、前記熱量デューティー取得手段が取得した前記熱量デューティーを本記録に際しての記録ストラテジのマルチパルス部の熱量デューティーとする記録装置。
【請求項３】
前記試し記録手段は、複数の記録線速での情報の記録が可能であり、最遅速度とは異なる記録線速で試し記録を行う請求項１または２記載の記録装置。
【請求項４】
請求項１ないし３いずれか一に記載の記録装置で使用されて、ＡｇまたはＧｅまたはＡｇとＧｅ、ＩｎまたはＧａまたはＩｎとＧａ、Ｓｂ、Ｔｅ、ＮまたはＯを構成元素として含み、それぞれの組成比α、β、γ、δ、ε(原子％)が０＜α≦６(ＡｇまたはＧｅまたはＡｇとＧｅ)、３≦β≦１５(ＩｎまたはＧａまたはＩｎとＧａ)、５０≦γ≦８５(Ｓｂ)、２０≦δ≦３５(Ｔｅ)、０≦ε≦５(ＮまたはＯ)、α＋β＋γ＋δ＋ε＋ζ＝１００(ただし、ζはその他の構成元素の原子％)に設定されている記録層を有する相変化型光情報記録媒体。
【発明の詳細な説明】
【０００１】
【発明の属する技術分野】
本発明は、記録装置および相変化型光情報記録媒体に関する。
【０００２】
【従来の技術】
例えば、ＣＤフォーマットのＣＤ−ＲＷ(Compact Disk ReWritable)、ＤＶＤ(Digital Versatile Disk)フォーマットのＤＶＤ−ＲＷ、ＤＶＤ＋ＲＷ等の大容量の情報記録メディアである相変化型光情報記録媒体は、複数回の情報の書き換えが可能であるという利便性の高さから、今後広く普及する見込みである。
【０００３】
相変化型光情報記録媒体に対して情報の記録や再生を行う記録装置は、レーザ光を出射する半導体発光素子等の記録素子を備えている。記録装置には、記録素子の出力パワーを適宜変化させることにより、単一の記録素子によって情報の記録や再生を行うようにしているものがある。
【０００４】
ところで、記録装置では、例えば、相変化型光情報記録媒体の品質のバラツキに起因して、記録した情報の品質(以降、記録品質という)にバラツキが生じることを防止するために、相変化型光情報記録媒体に対する情報の本記録を行う前に試し記録を行い、試し記録した情報の品質(以降、記録品質という)を評価するようにしている。
【０００５】
記録品質の評価は、相変化型光情報記録媒体に対して試し記録を行い、試し記録した情報を再生し、この再生信号に基づいて、例えば、ジッター(Jitter)特性、ＢＬＥＲ特性等の記録特性値を測定することによって評価する。
【０００６】
ここで、ジッター特性は、相変化型光情報記録媒体に記録した記録マークＭや記録マークＭ間のスペースの長さのばらつきを示す記録特性値であり、ＢＬＥＲ特性は、単位時間当たりの再生信号の誤り訂正回数を示す記録特性値である。
【０００７】
【発明が解決しようとする課題】
ところで、ジッター特性に基づいて記録品質を評価するためには、ジッター特性を測定するためのＴＩＡ(Time Interval Analyzer)の機能を記録装置に実装する必要がある。
【０００８】
ところが、ＴＩＡの機能を記録装置に実装することにより、記録装置が大型化し、記録装置のコストが増加する。
【０００９】
また、ＴＩＡの機能を用いてジッター特性を測定する場合、測定に多くの時間がかかるため、実用性に劣る。
【００１０】
ＢＬＥＲ特性に基づいて記録品質を評価するためには、数秒以上の長さの記録信号が必要となるため、記録品質を評価するための試し記録あるいは再生に多くの時間がかかる。このため、実用性に劣る。
【００１１】
また、ＢＬＥＲ特性に基づく記録品質の評価に際しては、数秒以上の長さの記録信号を試し記録するために、相変化型光情報記録媒体上に大容量の記録領域を確保する必要があり、実用性に劣る。
【００１２】
例えば、特許第０３０８１５５１号あるいは特許第０３１２４７２１号には、代表的な相変化型光情報記録媒体であるＣＤ−ＲＷについての最適記録パワーの取得方法として、γカーブ法を用いて最適記録パワーを取得する方法が開示されているが、同公報には記録品質を評価する方法についての言及は記載されていない。
【００１３】
本発明は、記録ストラテジのマルチパルス部の熱量デューティーを簡便に得ることができる記録装置および相変化型光情報記録媒体を得ることを目的とする。
【００１４】
【課題を解決するための手段】
本発明に係る記録装置は、相変化型光情報記録媒体に対して照射する光を発光する記録素子と、前記相変化型光情報記録媒体を回転駆動する回転駆動手段と、前記回転駆動手段により前記相変化型光情報記録媒体を回転駆動させ前記記録素子が出力する記録ストラテジのマルチパルス部の熱量デューティーと記録パワーとを変動させて前記相変化型光情報記録媒体に対して試し記録を行う試し記録手段と、前記相変化型光情報記録媒体の前記試し記録手段によって試し記録された領域の再生信号のうちのＲＦ信号に基づいてβ値を取得するβ値取得手段と、前記β値取得手段が取得した前記β値に基づいて各前記熱量デューティー毎に前記β値の極大値を取得するβ極大値取得手段と、前記β極大値取得手段が取得した前記極大値のうち最も大きい前記極大値をとる前記熱量デューティーを取得する熱量デューティー取得手段と、を具備し、前記熱量デューティー取得手段が取得した前記熱量デューティーを本記録に際しての記録ストラテジのマルチパルス部の熱量デューティーとする。
【００１５】
したがって、試し記録手段によって記録ストラテジのマルチパルス部の熱量デューティーと記録パワーとが変動されて相変化型光情報記録媒体に対する試し記録が行われ、相変化型光情報記録媒体の試し記録された領域の再生信号のうちのＲＦ信号に基づいてβ値取得手段によって取得されるβ値に基づいて、β極大値取得手段によって各熱量デューティー毎にβ値の極大値が取得され、β値の極大値のうち熱量デューティー取得手段によって取得される最も大きい極大値をとる熱量デューティーが本記録に際しての記録ストラテジのマルチパルス部の熱量デューティーとされる。
【００１６】
本発明に係る記録装置は、相変化型光情報記録媒体に対して照射する光を発光する記録素子と、前記相変化型光情報記録媒体を回転駆動する回転駆動手段と、前記回転駆動手段により前記相変化型光情報記録媒体を回転駆動させ前記記録素子が出力する記録ストラテジのマルチパルス部の熱量デューティーと記録パワーとを変動させて前記相変化型光情報記録媒体に対して試し記録を行う試し記録手段と、前記相変化型光情報記録媒体の前記試し記録手段によって試し記録された領域の再生信号のうちのＲＦ信号に基づいてアシンメトリー(Asymmetry)を取得するアシンメトリー取得手段と、前記アシンメトリー取得手段が取得した前記アシンメトリーに基づいて各前記熱量デューティー毎に前記アシンメトリーの極小値を取得するアシンメトリー極小値取得手段と、前記アシンメトリー極小値取得手段が取得した前記極小値のうち最も小さい前記極小値をとる前記熱量デューティーを取得する熱量デューティー取得手段と、を具備し、前記熱量デューティー取得手段が取得した前記熱量デューティーを本記録に際しての記録ストラテジのマルチパルス部の熱量デューティーとする。
【００１７】
したがって、試し記録手段によって記録ストラテジのマルチパルス部の熱量デューティーと記録パワーとが変動されて相変化型光情報記録媒体に対する試し記録が行われ、相変化型光情報記録媒体の試し記録された領域の再生信号のうちのＲＦ信号に基づいてアシンメトリー取得手段によって取得されるアシンメトリーに基づいて、アシンメトリー極小値取得手段によって各熱量デューティー毎にアシンメトリーの極小値が取得され、アシンメトリーの極小値のうち熱量デューティー取得手段によって取得される最も大きい極小値をとる熱量デューティーが本記録に際しての記録ストラテジのマルチパルス部の熱量デューティーとされる。
【００１８】
本発明に係る記録装置の一形態において、前記試し記録手段は、複数の記録線速での情報の記録が可能であり、最遅速度とは異なる記録線速で試し記録を行う。
【００１９】
したがって、試し記録手段によって、最遅速度とは異なる記録線速、すなわち、より高速な記録線速で試し記録が行われる。
【００２０】
本発明に係る記録装置の一形態において、前記試し記録手段は、試し記録に際しての記録線速を、記録パワーの変動に対する前記β値の変動の傾きが−５％／ｍＷ以上３％／ｍＷ以下となる範囲内で変動させる。
【００２１】
したがって、試し記録手段によって、試し記録に際しての記録線速が、記録パワーの変動に対するβ値の変動の傾きが−５％／ｍＷ以上３％／ｍＷ以下となる範囲内で変動される。
【００２２】
本発明に係る記録装置の一形態において、前記試し記録手段は、試し記録に際しての記録パワーを、記録パワーの変動に対する前記β値の変動の傾きが±２％以内となる範囲内で変動させる。
【００２３】
したがって、試し記録手段によって、試し記録に際しての記録パワーが、記録パワーの変動に対するβ値の変動の傾きが±２％以内となる範囲内で変動される。
【００２４】
本発明に係る相変化型光情報記録媒体は、本発明に係る記録装置で使用されて、ＡｇまたはＧｅまたはＡｇとＧｅ、ＩｎまたはＧａまたはＩｎとＧａ、Ｓｂ、Ｔｅ、ＮまたはＯを構成元素として含み、それぞれの組成比α、β、γ、δ、ε(原子％)が、０＜α≦６(ＡｇまたはＧｅまたはＡｇとＧｅ)、３≦β≦１５(ＩｎまたはＧａまたはＩｎとＧａ)、５０≦γ≦８５(Ｓｂ)、２０≦δ≦３５(Ｔｅ)、０≦ε≦５(ＮまたはＯ)、α＋β＋γ＋δ＋ε＋ζ＝１００(ただし、ζ：その他の構成元素の原子％)に設定されている記録層を有する。
【００２５】
したがって、構成元素の組成比は上記範囲内であれば、記録に際しての急冷・徐冷による記録マークの記録消去のメカニズムを類似させることが可能になる。
【００２６】
【発明の実施の形態】
本発明の一実施の形態について図１ないし図８を参照して説明する。本実施の形態は、相変化型光情報記録媒体として記録可能なＣＤ−ＲＷを用い、記録装置としてＣＤ−ＲやＣＤ−ＲＷに対して情報の記録を行うＣＤ−Ｒ／ＲＷドライブへの適用例を示す。
【００２７】
図１は、本発明の一実施の形態のＣＤ−Ｒ／ＲＷドライブの基本的な構成例を示す正面図である。ＣＤ−Ｒ／ＲＷドライブ１は、例えば、ＣＤ−ＲＷ２を回転させる回転駆動手段としてのスピンドルモータ３と、レーザ光を出射する記録素子としての半導体レーザダイオード(以降、ＬＤ(LASER Diode)という)４とを有している。
【００２８】
ＬＤ４から出射したレーザ光は、コリメートレンズ５、ビームスプリッタ６および対物レンズ７を介して、ＣＤ−ＲＷ２に集光状態で照射される。ＣＤ−ＲＷ２に集光状態で照射されたレーザ光は、ＣＤ−ＲＷ２が有する図示しない反射層によって反射される。ＣＤ−ＲＷ２からの反射光は、再び対物レンズ７に入射される。
【００２９】
対物レンズ７は、入射された反射レーザ光を通過させ、ビームスプリッタ６に向けて出力する。ビームスプリッタ６は、入射された反射レーザ光の進路を直角に屈曲させて、検出レンズ９を介して、受光素子１０に向けて出力する。
【００３０】
受光素子１０は、受光したレーザ光に応じた検出信号をヘッドアンプ１１に向けて出力する。ヘッドアンプ１１は、受光素子１０から出力された検出信号を、コントローラ１２に向けて出力する。
【００３１】
特に図示しないが、コントローラ１２は、ＣＰＵ、ＲＯＭ、ＲＡＭ等によって構成されるマイコンを有しており、マイコンの動作によってヘッドアンプ１１から出力された検出信号から、例えば、再生信号のうちのＲＦ信号(図４または図５参照)を取り込む。
【００３２】
コントローラ１２は、マイコンの動作によって、後述する記録品質の評価に際して、再生信号のＲＦ信号からＳ１，Ｓ２，Ｉ３ｔｏｐｏｐ，Ｉ３ｂｏｔｔｏｍ(いずれも後述)のうち必要な信号レベルについて測定して数値化する機能、各信号レベルから後述するβまたは後述するアシンメトリー(Asymmetry)を算出する機能、算出したβの極大値またはAsymmetryの極小値を算出する機能等を実行する。
【００３３】
スピンドルモータ３は、コントローラ１２に接続されている。コントローラ１２は、スピンドルモータ３の回転速度制御等、スピンドルモータ３の駆動制御を行う。
【００３４】
ＬＤ４は、ＬＤ変調回路１３を介してコントローラ１２に接続されている。ＬＤ変調回路１３は、コントローラ１２からの駆動信号に応じて、ＣＤ−ＲＷ２に対する情報の記録／再生に際してＬＤ４から出力させる記録ストラテジの熱量デューティーや記録パワーを変動させる。これによって、ＬＤ４は、情報の記録または書き換えに際して、図２に示すような記録ストラテジを出力する。
【００３５】
記録ストラテジは、図２に示すように、ＣＤ−ＲＷ２の記録層を融点以上に昇温させて記録マークＭの先頭部を形成させる先頭パルス部(ＦＰ部)、記録層を昇温させて記録マークＭの中間部を形成させるマルチパルス部(ＭＰ部)、記録層を冷却させて記録マークＭの後端部を形成させる後端パルス部(ＥＰ部)を有する。
【００３６】
情報の記録に際しては、記録マークＭの長さに比例して、記録ストラテジにおけるマルチパルス部(ＭＰ部)の記録パワーを増減させたり熱量デューティーを変えたりすることで記録ストラテジのマルチパルス部(ＭＰ部)の熱量を増減させる。これによって、ＣＤ−ＲＷ２の記録層に対して与える熱量を調整することができる。
【００３７】
記録ストラテジにおけるマルチパルス部(ＭＰ部)は、ＣＤ−ＲＷ２に対して最も大きな熱量を与える部分であり、記録品質に影響する非常に重要なパラメータである。図２では、マルチパルス部(ＭＰ部)において、記録パワーＰｗで出力されるパルスの長さを基本クロックＴによって表した。
【００３８】
次に、ＣＤ−Ｒ／ＲＷドライブ１で使用されるＣＤ−ＲＷ２について説明する。公知の技術であるためＣＤ−ＲＷ２の構造についての詳細な図示および詳細な説明は省略するが、ＣＤ−ＲＷ２は、レーザ光の照射により相変化する、Ａｇ−Ｉｎ−Ｓｂ−Ｔｅ系の相変化型記録材料によって形成された記録層を有している。
【００３９】
記録層にＡｇ−Ｉｎ−Ｓｂ−Ｔｅ系の相変化型記録材料を用いることにより、記録感度を良好に維持することができることが実験等により確認されている。
【００４０】
また、記録層にＡｇ−Ｉｎ−ｂ−Ｔｅ系の相変化型記録材料を用いることにより、１０００回程度の重ね書き記録においても信号の劣化が少ない優れた特性を保持させることができることが実験等により確認されている。
【００４１】
具体的に、本実施の形態のＣＤ−ＲＷ２の記録層には、ＡｇまたはＧｅまたはＡｇとＧｅ、ＩｎまたはＧａまたはＩｎとＧａ、Ｓｂ、Ｔｅ、ＮまたはＯが、構成元素として含まれている。各構成元素のそれぞれの組成比α、β、γ、δ、ε(原子％)は、
０＜α≦６  (ＡｇまたはＧｅまたはＡｇとＧｅ)      ・・・(１)
３≦β≦１５  (ＩｎまたはＧａまたはＩｎとＧａ)    ・・・(２)
５０≦γ≦８５  (Ｓｂ)                            ・・・(３)
２０≦δ≦３５  (Ｔｅ)                            ・・・(４)
０≦ε≦５  (ＮまたはＯ)                          ・・・(５)
α＋β＋γ＋δ＋ε＋ζ＝１００                    ・・・(６)
ただし、ζ：その他の構成元素の原子％
に設定されている。
【００４２】
各構成元素のそれぞれの組成比α、β、γ、δ、ε(原子％)が、(１)式から(６)式を満足するような範囲内に設定された記録層を有するＣＤ−ＲＷ２を用いることで、ＣＤ−ＲＷ２における急冷、徐冷による記録マークＭの記録消去のメカニズムを類似させることが可能になる。
【００４３】
これにより、再生信号の各記録信号レベルを安定させて、例えば、後述するβ値や後述するアシンメトリー(Asymmetry)などの記録特性を精度良く測定することが容易になる。
【００４４】
なお、本実施の形態では、相変化型光情報記録媒体としてＣＤ−ＲＷ２への適用例について説明したが、これに限るものではなく、例えば、ＤＶＤ−ＲＷ，ＤＶＤ＋ＲＷ，ＤＶＤ−ＲＡＭ等、記録層にレーザ光の照射により変化する相変化材料を用いている相変化型光情報記録媒体に適用してもよい。
【００４５】
ＣＤ−Ｒ／ＲＷドライブ１は、情報の記録に際して、記録信号に基づいたストラテジ制御信号をコントローラ１２によって生成する。ＬＤ変調回路１３は、コントローラ１２によって生成されたストラテジ制御信号に応じた駆動電流でＬＤ４を駆動させる。記録ストラテジのマルチパルス部(ＭＰ部)の熱量デューティーは、後述する方法によって取得された熱量デューティーに設定されている。また、コントローラ１２は、スピンドルモータ３を回転駆動することによってＣＤ−ＲＷ２を回転させる。これにより、ＬＤ４からＣＤ−ＲＷ２に向けてレーザ光が照射され、このレーザ光によって記録層における記録信号に応じた箇所が相変化されて、情報が記録される。
【００４６】
また、ＣＤ−Ｒ／ＲＷドライブ１は、ＣＤ−ＲＷ２に記録された情報の再生に際して、ＬＤ変調回路１３によって再生パワーで発光するようにＬＤ４を駆動させるとともに、スピンドルモータ３によってＣＤ−ＲＷ２を回転させる。これにより、ＬＤ４からＣＤ−ＲＷ２に向けてレーザ光が照射され、記録層から反射されるレーザ光に応じて情報が読み取られる。
【００４７】
次に、記録ストラテジのマルチパルス部(ＭＰ部)の熱量デューティーの取得について図３ないし図８を参照して説明する。本実施の形態では、記録ストラテジのマルチパルス部(ＭＰ部)の熱量デューティーは、試し記録した領域を再生することによって取得することができるβ値またはAsymmetryに基づいて、記録品質を評価することにより取得する。
【００４８】
なお、記録品質の評価は、例えば、ＣＤ−ＲＷ２に挿入した時点、または、ＣＤ−ＲＷ２に対する記録開始時点等、情報の記録を行う対象となるＣＤ−ＲＷドライブ１にセットされている状態であり、ＣＤ−ＲＷ２に対する情報の本記録より前に実行されるものであればよい。
【００４９】
図３は、記録品質の評価に際しての処理を概略的に示すフローチャートである。まず、ＬＤ変調回路１３によって、ＬＤ４から出力する記録ストラテジのマルチパルス部(ＭＰ部)の熱量デューティーと記録パワーとを複数段階に振り分け、複数段階に振り分けた各熱量デューティーと記録パワーとに基づいてＬＤ４を駆動制御することにより、ＣＤ−ＲＷ２に対して各記録ストラテジでの試し記録を行う(ステップＳ１)。ここに、試し記録手段としての機能が実行される。
【００５０】
ここで、記録ストラテジのマルチパルス部(ＭＰ部)の熱量デューティーと記録パワーとの複数段階への振り分けは、試し記録の実行に際して設定するものであってもよいし、予め複数段階に振り分けた各値を図示しない記憶装置等に記憶させておき、試し記録の実行に際して呼び出すことにより設定するものであってもよい。記録ストラテジのマルチパルス部(ＭＰ部)の熱量デューティーと記録パワーとを複数段階に振り分けることにより、ＣＤ−ＲＷ２の記録層に対して与える熱量を調整することができる。
【００５１】
試し記録に際しての記録パワーは、記録パワーの変動に対して変動する後述するβ値の傾きが、±２％以内となる範囲内に設定されている。
【００５２】
試し記録に際しての記録線速は、高速な記録線速であることが望ましく、本実施の形態では、記録パワーの変動に対するβ値の傾きが、−５％／ｍＷ以上３％／ｍＷ以下となる範囲内に設定されている。
【００５３】
なお、この試し記録は、ＣＤ−ＲＷ２の内周側に設けられた図示しない試し記録領域(パワーキャリブレーションエリア)に対して行ってもよいし、通常の情報を記録する領域に対して行ってもよい。通常の情報を記録する領域に対して試し記録を行う場合には、通常の情報を記録する際に、試し記録した情報を消去する必要がある。
【００５４】
そして、試し記録されたＣＤ−ＲＷ２に対して、ＬＤ４によって再生用に予め設定されている出力パワー(再生パワー)のレーザ光をＬＤ４から出力して、ＣＤ−ＲＷ２の試し記録された領域を再生する(ステップＳ２)。
【００５５】
図４および図５は、このときの再生信号をＡＣカップリングしたＲＦ信号を示すアイパターンである。
【００５６】
続いて、再生信号のＲＦ信号に基づいて、記録品質を評価する(ステップＳ３)。
【００５７】
記録品質は、図４および図５に示すような再生信号のＲＦ信号に基づいて、β値またはAsymmetryを測定することによって評価する。
【００５８】
まず、β値を測定することによって記録品質を評価する場合について説明する。β値を測定することによって記録品質を評価する場合には、まず、(７)式を用いて、各記録パワーにおけるβ値を算出する。ここに、β値取得手段としての機能が実現される。また、β値の算出により、各熱量デューティー毎のβ値の極大値を取得することが可能であり、ここに、β極大値取得手段としての機能が実現される。
【００５９】
β＝(Ｓ１＋Ｓ２)／(Ｓ１−Ｓ２)×１００    ・・・(７)
ただし、Ｓ１：最長記録マークＭまたは最長スペースの最大振幅値
Ｓ２：最長記録マークＭまたは最長スペースの最小振幅値
【００６０】
図６は、マルチパルス部の各熱量デューティーにおける記録パワーとβ値との関係を示している。図６からも判るように、β値の極大値は、マルチパルス部の熱量デューティーによって異なるが、各熱量デューティーにおけるβ値の極大値は一つである。
【００６１】
(７)式によって算出された各β値の極大値を比較して、最も大きい極大値を取得する。本実施の形態では、熱量デューティーが０.３Ｔである場合のβ値の極大値が、最も大きい極大値として取得される。
【００６２】
取得した熱量デューティーを、本記録に際しての熱量デューティーとして、例えば、コントローラ１２のＲＯＭに確保された記憶領域に設定する(ステップＳ４)。ここに、熱量デューティー取得手段としての機能が実行される。
【００６３】
本記録に際しては、最も大きい極大値をとる熱量デューティーを用いた記録ストラテジによって情報の記録を行う。本実施の形態では、０.３Ｔが、本記録に際しての熱量デューティーとして取得される。
【００６４】
ところで、従来は、試し記録した領域の再生信号に基づいて、ジッター特性、ＢＬＥＲ特性等の記録特性値を測定することによって記録品質を評価するようにしていた。
【００６５】
例えば、単位時間当たりの再生信号の誤り訂正回数を示す記録特性値であるＢＬＥＲ特性は、マルチパルス部の各熱量デューティーにおける記録パワーの変動に対して、図７に示すような挙動を示す。ＢＬＥＲ特性により記録品質の評価は、再生信号より得られるＢＬＥＲが予め設定された規格値よりも低いか否かを判定することによって評価することができる。
【００６６】
ここで、予め設定された規格値を満足する範囲のＢＬＥＲに対応する記録パワーをパワーマージンといい、このパワーマージンが広い程、記録に際しての記録パワーの変動による記録品質への影響が少なく、安定した記録品質を得ることができる。
【００６７】
ところが、上述したようにＢＬＥＲ特性に基づいて記録品質を評価するためには、数秒以上の長さの記録信号が必要となる。このため、記録品質を評価するための試し記録あるいは再生に多くの時間がかかるり、実用性に劣るという不都合があった。
【００６８】
また、ＢＬＥＲ特性に基づく記録品質の評価に際しては、数秒以上の長さの記録信号を試し記録するために、相変化型光情報記録媒体上に大容量の記録領域を確保しなければならず実用性に劣る。
【００６９】
本実施の形態では、(７)式を用いて取得されるβ値の極大値の大小を比較することで、ＢＬＥＲ特性を評価することなく記録品質が良好となる熱量デューティーを取得することができるため、熱量デューティーを簡便に取得することができる。
【００７０】
ここで、図６および図７を参照すると、(７)式を用いて取得されるマルチパルス部(ＭＰ部)の熱量デューティー(０.３Ｔ)に設定された記録ストラテジによって試し記録した領域のＢＬＥＲは、格別大きな記録パワーを必要とせずに規格値を満足している。
【００７１】
ＣＤ−ＲＷ２に対して情報の記録を行う場合に、ＣＤ−ＲＷ２対して出力する記録ストラテジの記録パワーが過剰に大きいと、ＬＤ４等にかかる負担が増大するが、(７)式を用いて取得されるマルチパルス部(ＭＰ部)の熱量デューティー(０.３Ｔ)に設定された記録ストラテジによって試し記録では、格別大きな記録パワーを必要としないことから、ＬＤ４等にかかる負担を軽減することができる。
【００７２】
本実施の形態では、試し記録に際しての記録パワーを、記録パワーの変動に対するβ値の傾きが、±２％以内となる範囲内で変動するように設定することにより、記録ストラテジのマルチパルス部の熱量デューティーをより精度良く求めることができる。
【００７３】
また、本実施の形態では、試し記録に際しての記録線速を、高速な記録線速、具体的には、記録パワーの変動に対するβ値の傾きが−５％／ｍＷ以上３％／ｍＷ以下となる範囲内で変動するように設定することにより、記録ストラテジのマルチパルス部の熱量デューティーをより精度良く求めることができる。
【００７４】
次に、Asymmetryを測定することによって記録品質を評価する場合について説明する。Asymmetryを測定することによって記録品質を評価する場合には、まず、(８)式を用いて、β値を算出したものと同じ再生信号のＲＦ信号に基づいて、各記録パワーにおけるAsymmetryを算出する。ここに、アシンメトリー取得手段としての機能が実現される。また、Asymmetry(アシンメトリー)の算出により、各熱量デューティー毎のAsymmetryの極小値を取得することが可能であり、ここに、Asymmetry極小値取得手段としての機能が実現される。
【００７５】
Asymmetry＝{(Ｉ３ｔｏｐ−Ｉ３ｂｏｔｔｏｍ)／２
−(Ｉ１１ｔｏｐ−Ｉ１１ｂｏｔｔｏｍ)／２}
／(Ｉ１１ｔｏｐ−Ｉ１１ｂｏｔｔｏｍ)        ・・・(８)
ただし、Ｉ３ｔｏｐ：最短記録マークＭまたは最短スペースの最大振幅値
Ｉ３ｂｏｔｔｏｍ：最短記録マークＭまたは最短スペースの最小振幅値
Ｉ１１ｔ：最長記録マークＭまたは最長スペースの最大振幅値
Ｉ１１ｂ：最長記録マークＭまたは最長スペースの最小振幅値
【００７６】
図８は、マルチパルス部の各熱量デューティーにおける記録パワーとAsymmetryとの関係を示している。図７からも判るように、Asymmetryの極小値は、マルチパルス部の熱量デューティーによって異なるが、各熱量デューティーにおけるAsymmetryの極小値は一つである。
【００７７】
(８)式によって算出された各Asymmetryの極小値を比較して、最も小さい極小値を取得する。本実施の形態では、熱量デューティーが０.３Ｔである場合のAsymmetryの極小値が、最も小さい極小値として取得される。
【００７８】
取得した熱量デューティーを、本記録に際しての熱量デューティーとして、例えば、コントローラ１２のＲＯＭに確保された記憶領域に設定する(Ｓ４)。ここに、熱量デューティー取得手段としての機能が実行される。
【００７９】
本記録に際しては、最も小さい極小値をとる熱量デューティーを用いた記録ストラテジによって情報の記録を行う。本実施の形態では、０.３Ｔが、本記録に際しての熱量デューティーとして取得される。
【００８０】
これにより、(８)式を用いて取得されるAsymmetryの極小値を比較することで、ＢＬＥＲ特性を評価することなく記録品質が良好となる熱量デューティーを簡便に取得することができる。
【００８１】
なお、本実施の形態では、β値およびAsymmetryに基づいてそれぞれ最適な熱量デューティーを取得するようにしたが、図６および図８からも判るように、β値の極大値うちで最も大きい極大値をとる熱量デューティーと、Asymmetryの極小値のうちで最も小さい極小値をとる熱量デューティーはほぼ等しいことから、β値またはAsymmetryのいずれか一方に基づいて熱量デューティーを取得するようにしてもよい。
【００８２】
これにより、最適な熱量デューティーをより簡便に取得することができる。
【００８３】
図示および詳細な説明を省略するが、本実施の形態ではＢＬＥＲ特性の評価によって取得される熱量デューティーと、β値およびAsymmetryに基づいて取得される熱量デューティーとを比較したが、相変化型光情報記録媒体に記録した記録マークＭや記録マークＭ間のスペースの長さのばらつきを示す記録特性値であるジッター特性の評価によって取得される熱量デューティーとβ値およびAsymmetryに基づいて取得される熱量デューティーとを比較しても同様の結果が得られる。
【００８４】
なお、本発明のＣＤ−Ｒ／ＲＷドライブ１に必要な構成は、一般的なＣＤ−Ｒ／ＲＷドライブをはじめ、ＤＶＤ−Ｒドライブ，ＤＶＤ−ＲＷドライブ，ＤＶＤ＋ＲＷドライブ等において容易に実現可能であり、ＣＤ−Ｒ／ＲＷ，ＤＶＤ−Ｒ，ＤＶＤ−ＲＷ，ＤＶＤ＋ＲＷ等の各種記録媒体の高い記録再生互換性を維持したまま実施可能である。
【００８５】
【実施例】
本発明の効果を確認するために、上述の方法により取得した熱量デューティーに設定された記録ストラテジによって４ｘ記録を行った。記録に際しては、相変化型光情報記録媒体として、株式会社リコー製のハイスピードＣＤ−ＲＷ２である“ＣＤＲＷ  ７４  １０ｘ”を用いた。このＣＤ−ＲＷの記録層を構成する４元系は、上述した(１)式から(６)式の範囲を満たしている。
【００８６】
また、記録装置としてとして、ＣＤ−ＲＷ２に対して情報の記録再生を行うＣＤ−Ｒ／ＲＷドライブ１である株式会社リコー製のＭＰ７２００Ａを用いて、記録線速を１０ｘＣＤスピードに設定した。
【００８７】
記録ストラテジおよび記録パワーは、Ｆ／Ｗのパラメータを変更することにより行った。記録信号はパルステック社製ＤＤＵ１０００により信号を再生した。ＢＬＥＲの測定は該ドライブのＥＦＭデコーダーを用いて測定した。再生信号の最大値及び振幅値及び最大記録マークＭと最小記録マークＭの振幅中心値の測定は、ＲＦ信号から各信号レベルをＴｅｋｔｒｏｎｉｘ社製オシロスコープを用いて測定し算出した。
【００８８】
【表１】
0004302917.tif 000002
【００８９】
表１は、各デューティーにおいて、４ｘ記録に際しての記録パワーの変動に対するβ値の極大値、Asymmetryの極小値、ジッターの極小値およびＢＬＥＲのパワーマージンの関係を表わしている。
【００９０】
このとき、記録パワーの変動に対するβ値の変動の傾きは、−５(％／ｍＷ)以上に設定されている。
【００９１】
表１からは、Asymmetryの極小値が最小値をとり、β値の極大値が最大値を取る熱量デューティー０.３Ｔにおいて、ジッターが極小値をとり、ＢＬＥＲのパワーマージンが最も広くなることが判る。したがって、ジッターが極小値をとり、ＢＬＥＲのパワーマージンが最も広くなる熱量デューティー０.３Ｔにおいて、最も良好な信号特性が得られることが判る。
【００９２】
【表２】
0004302917.tif 000003
【００９３】
表２は、各熱量デューティーにおいて、８ｘ記録に際しての記録パワーの変動に対するβ値の極大値、Asymmetryの極小値、ジッターの極小値およびＢＬＥＲのパワーマージンの関係を表わしている。
【００９４】
このとき、記録パワーの変動に対するβ変動の傾きは、−１％／ｍＷ以上＋１％／ｍＷ以下であった。これにより、Asymmetryの極小値が最小値をとり、β値の極大値が最大値を取る熱量デューティー０．４５Ｔにおいて、ジッターが極小値をとり、ＢＬＥＲのパワーマージンが最も広くなり、ジッターが極小値をとり、ＢＬＥＲのパワーマージンが最も広くなる熱量デューティー０．４５Ｔにおいて、最も良好な信号特性が得られることが判る。
【００９５】
【発明の効果】
本発明に係る記録装置によれば、相変化型光情報記録媒体に対して照射する光を発光する記録素子と、前記相変化型光情報記録媒体を回転駆動する回転駆動手段と、前記回転駆動手段により前記相変化型光情報記録媒体を回転駆動させ前記記録素子が出力する記録ストラテジのマルチパルス部の熱量デューティーと記録パワーとを変動させて前記相変化型光情報記録媒体に対して試し記録を行う試し記録手段と、前記相変化型光情報記録媒体の前記試し記録手段によって試し記録された領域の再生信号のうちのＲＦ信号に基づいてβ値を取得するβ値取得手段と、前記β値取得手段が取得した前記β値に基づいて各前記熱量デューティー毎に前記β値の極大値を取得するβ極大値取得手段と、前記β極大値取得手段が取得した前記極大値のうち最も大きい前記極大値をとる前記熱量デューティーを取得する熱量デューティー取得手段と、を具備し、前記熱量デューティー取得手段が取得した前記熱量デューティーを本記録に際しての記録ストラテジのマルチパルス部の熱量デューティーとすることにより、従来の記録装置で測定可能なＲＦ信号に基づいて取得できるβ値を用いて記録ストラテジのマルチパルス部の熱量デューティーを得ることが可能になるので、記録ストラテジのマルチパルス部の熱量デューティーを簡便に得ることができる。
【００９６】
本発明に係る記録装置によれば、相変化型光情報記録媒体に対して照射する光を発光する記録素子と、前記相変化型光情報記録媒体を回転駆動する回転駆動手段と、前記回転駆動手段により前記相変化型光情報記録媒体を回転駆動させ前記記録素子が出力する記録ストラテジのマルチパルス部の熱量デューティーと記録パワーとを変動させて前記相変化型光情報記録媒体に対して試し記録を行う試し記録手段と、前記相変化型光情報記録媒体の前記試し記録手段によって試し記録された領域の再生信号のうちのＲＦ信号に基づいてアシンメトリー(Asymmetry)を取得するアシンメトリー取得手段と、前記アシンメトリー取得手段が取得した前記アシンメトリーに基づいて各前記熱量デューティー毎に前記アシンメトリーの極小値を取得するアシンメトリー極小値取得手段と、前記アシンメトリー極小値取得手段が取得した前記極小値のうち最も小さい前記極小値をとる前記熱量デューティーを取得する熱量デューティー取得手段と、を具備し、前記熱量デューティー取得手段が取得した前記熱量デューティーを本記録に際しての記録ストラテジのマルチパルス部の熱量デューティーとすることにより、従来の記録装置で測定可能なＲＦ信号に基づいて取得できるアシンメトリーを用いて記録ストラテジのマルチパルス部の熱量デューティーを得ることが可能になるので、記録ストラテジのマルチパルス部の熱量デューティーを簡便に得ることができる。
【００９７】
本発明に係る記録装置の一形態において、前記試し記録手段は、複数の記録線速での情報の記録が可能であり、最遅速度とは異なる記録線速で試し記録を行うことにより、取得される熱量デューティーの精度の向上を図ることができる。
【００９８】
本発明に係る記録装置の一形態において、前記試し記録手段は、試し記録に際しての記録線速を、記録パワーの変動に対する前記β値の変動の傾きが−５％／ｍＷ以上３％／ｍＷ以下となる範囲内で変動させることにより、取得される熱量デューティーの精度の向上を図ることができる。
【００９９】
本発明に係る記録装置の一形態において、前記試し記録手段は、試し記録に際しての記録パワーを、記録パワーの変動に対する前記β値の変動の傾きが±２％以内となる範囲内で変動させることにより、取得される熱量デューティーの精度の向上を図ることができる。
【０１００】
本発明に係る相変化型光情報記録媒体によれば、本発明に係る記録装置で使用されて、ＡｇまたはＧｅまたはＡｇとＧｅ、ＩｎまたはＧａまたはＩｎとＧａ、Ｓｂ、Ｔｅ、ＮまたはＯを構成元素として含み、それぞれの組成比α、β、γ、δ、ε(原子％)が、０＜α≦６(ＡｇまたはＧｅまたはＡｇとＧｅ)、３≦β≦１５(ＩｎまたはＧａまたはＩｎとＧａ)、５０≦γ≦８５(Ｓｂ)、２０≦δ≦３５(Ｔｅ)、０≦ε≦５(ＮまたはＯ)、α＋β＋γ＋δ＋ε＋ζ＝１００(ただし、ζ：その他の構成元素の原子％)に設定されている記録層を有するので、構成元素の組成比は上記範囲内であれば、記録に際しての急冷・徐冷による記録マークの記録消去のメカニズムを類似させることが可能になり、記録信号を精度良く測定することができる。
【図面の簡単な説明】
【図１】本発明の一実施の形態のＣＤ−Ｒ／ＲＷドライブの基本的な構成例を示す正面図である。
【図２】記録ストラテジおよび記録マークＭを示す説明図である。
【図３】記録品質の評価に際しての処理を概略的に示すフローチャートである。
【図４】再生信号をＡＣカップリングしたＲＦ信号を示すアイパターンである。
【図５】再生信号をＡＣカップリングしたＲＦ信号を示すアイパターンである。
【図６】マルチパルス部の各熱量デューティーにおける記録パワーとβ値との関係を示す相関図である。
【図７】マルチパルス部の各熱量デューティーにおける記録パワーとＢＬＥＲとの関係を示す相関図である。
【図８】マルチパルス部の各熱量デューティーにおける記録パワーとAsymmetryとの関係を示す相関図である。
【符号の説明】
１      記録装置
３      記録素子
７      相変化型光情報記録媒体
【図１】
0004302917.tif 000004
【図２】
0004302917.tif 000005
【図３】
0004302917.tif 000006
【図４】
0004302917.tif 000007
【図５】
0004302917.tif 000008
【図６】
0004302917.tif 000009
【図７】
0004302917.tif 000010
【図８】
0004302917.tif 000011